(57)【要約】【課題】  床と壁との間に形成される隙間を容易、かつ閉塞する耐火層間材が耐火性能を損なうことのない所定の厚さで支持することができる支持金具および支持方法を提供することを目的とする。【解決手段】  上面支持部１１０が、床スラブ１０の上面に載置され、垂下部１２０が、上面支持部１１０の壁パネル２０側端部から床スラブ１０の端面に沿って垂下し、傾斜面１４０が、垂下部１２０の下端から垂下部１２０の鉛直投影面より床スラブ１０側下方向に曲げられ、支持辺１６０が、傾斜面１４０の下端から壁パネル２０方向に折り返されて、壁パネル２０にかけて上向きに到達する。【選択図】図１
2020084483.tif 000002
【特許請求の範囲】
【請求項１】
壁パネルと、床スラブの端面との間に形成された層間隙間に所定の間隔で複数設置することで、前記層間隙間を充填する耐火層間材を支持する支持金具において、
前記床スラブの上面に載置される上面支持部と、
前記上面支持部の前記壁パネル側端部から前記床スラブの端面に沿って垂下する垂下部と、
前記垂下部の下端から前記垂下部の鉛直投影面より前記床スラブ側方向に曲げられた傾斜面と、
前記傾斜面の下端から前記壁パネル方向に折り返された折り返し部を介して、前記壁パネルにわたって上向きに到達する支持辺と、
を備えることを特徴とする支持金具。
【請求項２】
前記折り返し部は、
前記層間隙間の長手方向に沿って架設することで前記層間隙間を閉塞する金属製板材を支持するために鋭角に曲げられた鋭角部、
を備えることを特徴とする請求項１記載の支持金具。
【請求項３】
前記耐火層間材は、
前記層間隙間を閉塞した金属製板材の上部に充填されること、
を特徴とする請求項２記載の支持金具。
【請求項４】
前記垂下部は、
前記層間隙間を充填するために所定の耐火層間材の厚さ以上の高さを有すること、
を特徴とする請求項１記載の支持金具。
【請求項５】
前記垂下部は、
前記層間隙間の長手方向に沿って架設することで前記層間隙間を閉塞する金属製板材の床スラブ側部分を支持する板材支持部、
を備えることを特徴とする請求項１記載の支持金具。
【請求項６】
前記支持辺の前記壁パネル側の先端は、
バリや角部が取り除かれた丸み面取処理が施されたこと、
を特徴とする請求項１記載の支持金具。
【請求項７】
壁パネルと、床スラブの端面との間に形成された層間隙間に所定の間隔で複数設置することで、前記層間隙間を充填する耐火層間材を支持するための、前記床スラブの上面に載置される上面支持部と、前記上面支持部の前記壁パネル側端部から前記床スラブの端面に沿って垂下する垂下部と、前記垂下部の下端から前記垂下部の鉛直投影面より前記床スラブ側方向に曲げられた傾斜面と、前記傾斜面の下端から前記壁パネル方向に折り返された折り返し部を介して、前記壁パネルにわたって上向きに到達する支持辺とを備える支持金具の支持方法において、
前記支持金具を前記層間隙間に設置したときに、
前記支持辺が、前記支持辺と前記壁パネルとの接点を支点に、前記床スラブから前記壁パネル方向に回転する工程と、
前記傾斜面が、前記垂下部の下端と前記床スラブとの接点を支点に、前記床スラブから前記壁パネル方向に回転する工程と、
を備えることを特徴とする支持方法。
【発明の詳細な説明】
【技術分野】
【０００１】
本発明は、耐火層間材の支持金具および支持方法に関し、特に壁パネルと、床スラブの端面との間に形成された層間隙間に所定の間隔で複数設置することで、前記層間隙間を充填する耐火層間材を支持する支持金具および支持方法に関する。
【背景技術】
【０００２】
従来から高層建築物において、建築物へ荷重の負担をかけないように、カーテンウォールと呼ばれる非耐力壁を土台や柱等の骨組みにはめ込んで形成する外壁構法が採用されている。
【０００３】
この外壁構法では、例えば床と外壁との間には部材と部材とのつなぎ目や構造上所定の隙間である層間隙間が形成されるため、この層間隙間を閉塞する必要がある。また火災が生じた際にはこの層間隙間から上下階に延焼してしまうため、層間隙間が耐火上の弱点となっている。
【０００４】
そこで、床と外壁との間に形成される隙間には、耐火性を備えた耐火層間材を圧入し、耐火層間材を床と外壁とに密着させて層間隙間を閉塞することで火災が生じた際の延焼を防止している。
【０００５】
また耐火層間材の下側には、耐火層間材の落下を防止する支持金具や、下階で発生した火災による火が直接耐火層間材に触れないように、耐火層間材と支持金具との間で隙間を閉塞するように金属製板材を配置する方法が採用されている（たとえば、特許文献１参照）。
【０００６】
図７は、建築物の床スラブと壁パネルとの間に配置される耐火層間材を支持するための従来の支持金具および金属製板材を示す図である。
図７に示すように、支持金具５０は、床スラブ１０の上面に配置される上面支持部５１と、上面支持部５１から床スラブ１０の外面に沿って垂下する垂下部５２と、垂下部５２の下端から壁パネル２０方向に屈曲して先端が壁パネル２０に接触する突っ張り部５３と、垂下部５２に設けられた金属製板材６０を支持するための板材支持部５４とで構成されている。
【０００７】
支持金具５０は、建築物の床スラブ１０と壁パネル２０との間の層間隙間Ｇの長手方向に間隔を置いて配置され、層間隙間Ｇに複数配置された支持金具５０によって金属製板材６０が支持され、支持金具５０に支持された金属製板材６０によって、ここでは図示しない耐火層間材３０は支持される。
【０００８】
図８は、建築物の床スラブと壁パネルとの間に配置される耐火層間材を支持するための垂下部に板材支持部を具さない従来の支持金具および金属製板材を示す図である。
図８に示すように支持金具７０は、床スラブ１０の上面に配置される上面支持部７１と、上面支持部７１の端部から床スラブ１０の端面に沿って垂下する垂下部７２と、垂下部７２の下端から壁パネル２０に向かって斜め上に鋭角に曲げられた角部７３と、角部７３を介して壁パネル２０に到達するまで延設された突っ張り部７４とで構成されている。
【０００９】
支持金具７０は、建築物の床スラブ１０と壁パネル２０との間の層間隙間Ｇの長手方向に間隔を置いて配置され、層間隙間Ｇに複数配置された支持金具７０によって金属製板材６０が支持され、支持金具５０に支持された金属製板材６０によって、ここでは図示しない耐火層間材３０は支持される。
【００１０】
支持金具７０は支持金具５０と異なり、垂下部に設けた板材支持部で金属製板材６０を支持するのではなく、垂下部７２の下端から壁パネル２０に向かって斜め上に鋭角に曲げられた角部７３で金属製板材６０を支持するものである。
【００１１】
このため、金属製板材６０が不要な現場であっても、あるいは金属製板材６０が必要な現場であっても、共通した支持金具７０を利用することができる。これにより、支持金具７０の製造者は統一した形状で製造できるため製造効率がよくなり、製造コストを低減することができる。
【先行技術文献】
【特許文献】
【００１２】
【特許文献１】特開２０１０−２６１２３２号公報
【発明の概要】
【発明が解決しようとする課題】
【００１３】
しかし、特許文献１に記載の支持金具５０や支持金具７０によって支持される金属製板材６０は、支持金具５０や支持金具７０を層間隙間Ｇに挿入した際の変形によって、金属製板材６０と床スラブ１０との間や、耐火層間材３０と床スラブ１０との間に隙間が生じてしまう問題があった。
【００１４】
図９は、層間隙間に挿入前の従来の支持金具の断面図と、従来の支持金具、金属製板材、および耐火層間材を層間隙間に挿入した際の断面図とである。
図９（Ａ）に示すように、支持金具５０は、床スラブ１０の上面に配置される上面支持部５１から、垂下部５２が床スラブ１０の外面に沿って垂下しており、垂下部５２の下端から壁パネル２０方向に屈曲して突っ張り部５３の先端が壁パネル２０に接触するように形成されている。また垂下部５２には、金属製板材６０を支持するための板材支持部５４が設けられている。
【００１５】
次に、支持金具５０は図９（Ｂ）に示すように、間隔を置いて層間隙間Ｇに配置された後、金属製板材６０は板材支持部５４と壁パネル２０とに支えられるように層間隙間Ｇに配置される。その後、耐火層間材３０が備える心材３１は、層間隙間Ｇに圧入され、上面被覆材３２が粘着剤を介して床スラブ１０および壁パネル２０の表面に接着されることで、層間隙間Ｇを完全に閉塞することができる。
【００１６】
支持金具５０を層間隙間Ｇ挿入する際は、垂下部５２と突っ張り部５３との間に形成された屈曲部から層間隙間Ｇに挿入して、上面支持部５１を垂直下方向に押し込みながら上面支持部５１が床スラブ１０に当たるまで押し込んでいく。
【００１７】
やがて突っ張り部５３の先端が壁パネル２０に接することにより、突っ張り部５３の先端と壁パネル２０との接点で摩擦力が発生する。さらに上面支持部５１に加えた垂直下方向の力により、突っ張り部５３の壁パネル２０側の先端を支点として床スラブ１０から壁パネル２０方向にかけた反時計回りの回転力が発生することになる。
【００１８】
そしてこの反時計回りの回転力により垂下部５２は、上面支持部５１と垂下部５２との接合点、つまり床スラブ１０の角端部を支点に反時計回りに回転し、垂下部５２の下端側から壁パネル２０側に移動していく。
【００１９】
すると垂下部５２に備えられた板材支持部５４も壁パネル２０側に移動していくことになり、床スラブ１０の端面から垂下部５２および板材支持部５４は離れた位置で支持金具５０は層間隙間Ｇに固定される。
【００２０】
ところがこの状態で板材支持部５４に金属製板材６０を乗せると、板材支持部５４が床スラブ１０の端面から離れた位置で固定されているため、金属製板材６０と床スラブ１０との間に隙間Ｓが生じてしまうことになる。
【００２１】
図１０は、層間隙間に従来の支持金具および金属製板材を挿入した状態の上面図である。
図１０に示すように、床スラブ１０の端面から垂下部５２および板材支持部５４は離れた状態で、支持金具５０に金属製板材６０を設置してしまうと、床スラブ１０と金属製板材６０との間に一定の隙間Ｓが生じることになる。
【００２２】
この状態で金属製板材６０の上部に層間隙間Ｇを閉塞するように耐火層間材３０を設置しても、下階で火災が発生した場合には、金属製板材６０が隙間Ｓを閉塞できていないために下階の火が直接耐火層間材３０に触れてしまうため、耐火時間を著しく低下させる原因となっていた。
【００２３】
図１１は、層間隙間に挿入前の垂下部に板材支持部を具さない従来の支持金具の断面図と、垂下部に板材支持部を具さない従来の支持金具、金属製板材、および耐火層間材を層間隙間に挿入した際の断面図とである。
【００２４】
図１１（Ａ）に示すように、支持金具７０は、床スラブ１０の上面に配置される上面支持部７１から、垂下部７２が床スラブ１０の外面に沿って垂下しており、垂下部７２の下端から角部７３を介して壁パネル２０方向に屈曲して突っ張り部７４の先端が壁パネル２０に接触するように形成されている。
【００２５】
次に、支持金具７０は図１１（Ｂ）に示すように、間隔を置いて層間隙間Ｇに配置された後、金属製板材６０は角部７３と壁パネル２０とに支えられるように層間隙間Ｇに配置される。その後、耐火層間材３０が備える心材３１は、層間隙間Ｇに圧入され、上面被覆材３２が粘着剤を介して床スラブ１０および壁パネル２０の表面に接着されることで、層間隙間Ｇを完全に閉塞するものである。
【００２６】
支持金具７０を層間隙間Ｇ挿入する際は、垂下部７２と突っ張り部７４との間に形成された角部７３から層間隙間Ｇに挿入して、上面支持部７１を垂直下方向に押し込みながら上面支持部７１が床スラブ１０に当たるまで押し込んでいく。
【００２７】
やがて突っ張り部７４の先端が壁パネル２０に接することにより、突っ張り部７４の先端と壁パネル２０との接点で摩擦力が発生する。さらに上面支持部７１に加えた垂直下方向の力により、突っ張り部７４の先端を支点として床スラブ１０から壁パネル２０方向にかけた反時計回りの回転力が発生することになる。
【００２８】
そしてこの反時計回りの回転力により垂下部７２は下端側、つまり角部７３は壁パネル２０側に移動していき、床スラブ１０の端面から垂下部７２および角部７３は離れた位置で支持金具５０は層間隙間Ｇに固定される。
【００２９】
ところがこの状態で角部７３に金属製板材６０を乗せると、角部７３が床スラブ１０の端面から離れた位置で固定されているため、金属製板材６０と床スラブ１０との間に隙間Ｓが生じてしまうことになる。
【００３０】
この支持金具７０においても、図１０のように、床スラブ１０の端面から垂下部７２および角部７３が離れた状態で、支持金具７０に金属製板材６０を設置してしまうと、床スラブ１０と金属製板材６０との間に一定の隙間Ｓが生じることになる。
【００３１】
この状態で金属製板材６０の上部に層間隙間Ｇを閉塞するように耐火層間材３０を設置しても、下階で火災が発生した場合には、金属製板材６０が隙間Ｓを閉塞できていないために下階の火が直接耐火層間材３０に触れてしまうため、耐火時間を著しく低下させる原因となっていた。
【００３２】
また上記のように垂下部５２や垂下部７２が床スラブ１０の端面から離れてしまうことで生じる隙間Ｓにより、層間隙間Ｇにおける隙間Ｓの上部では、支持金具５０や支持金具７０によって支持された耐火層間材３０も床スラブ１０の端面から離れてしまう問題が生じる。
【００３３】
このように耐火層間材３０が床スラブ１０の端面から離れてしまうと、層間隙間Ｇにおける隙間Ｓの上部では、層間隙間Ｇを閉塞する耐火層間材３０の厚さが薄くなってしまう。このような状態であると本来耐火層間材３０が有するはずの耐火機能を十分に発揮することができずに、火災が生じた際の延焼を防止することができない。
【００３４】
具体的には、層間隙間Ｇの閉塞方法に関する規定では、１．６ｍｍ以上の鉄板の上に５００ｍｍ以上の耐火層間材で閉塞しなくてはならないとされている。上記のように耐火層間材３０が床スラブ１０の端面から離れてしまうと、層間隙間Ｇにおける隙間Ｓの上部では、規定の厚さの耐火層間材３０で閉塞することはできない。
【００３５】
上記の問題を解決するためには、突っ張り部５３または突っ張り部７４の先端を垂直下方向に押し込むことで、逆方向つまり時計回りの回転力が発生し、垂下部５２や垂下部７２を床スラブ１０の端面に接着させることが考えられる。
【００３６】
しかし、壁パネル２０と摩擦力で接している突っ張り部５３または突っ張り部７４の先端を無理矢理垂直下方向に押し込むと、壁パネルを傷つけてしまう恐れがある。また、支持金具５０や支持金具７０は、層間隙間Ｇの長手方向に間隔を置いて複数配置されるので、すべての支持金具５０や支持金具７０の先端を押し込まなければならないのは、非常に非効率であり、施工時間の増加につながる問題がある。
【００３７】
本発明はこのような点に鑑みてなされたものであり、床と壁との間に形成される隙間を容易、かつ閉塞する耐火層間材が耐火性能を損なうことのない所定の厚さで支持することができる支持金具および支持方法を提供することを目的とする。
【課題を解決するための手段】
【００３８】
本発明では上記問題を解決するために、壁パネルと、床スラブの端面との間に形成された層間隙間に所定の間隔で複数設置することで、前記層間隙間を充填する耐火層間材を支持する支持金具において、前記床スラブの上面に載置される上面支持部と、前記上面支持部の前記壁パネル側端部から前記床スラブの端面に沿って垂下する垂下部と、前記垂下部の下端から前記垂下部の鉛直投影面より前記床スラブ側方向に曲げられた傾斜面と、前記傾斜面の下端から前記壁パネル方向に折り返されて、前記壁パネルにわたって上向きに到達する支持辺とを備えることを特徴とする支持金具が提供される。
【００３９】
これにより、上面支持部が、床スラブの上面に載置され、垂下部が、上面支持部の壁パネル側端部から床スラブの端面に沿って垂下し、傾斜面が、垂下部の下端から垂下部の鉛直投影面より床スラブ側方向に曲げられ、支持辺が、傾斜面の下端から壁パネル方向に折り返されて、壁パネルにわたって上向きに到達する。
【００４０】
また、本発明では、壁パネルと、床スラブの端面との間に形成された層間隙間に所定の間隔で複数設置することで、前記層間隙間を充填する耐火層間材を支持するための、前記床スラブの上面に載置される上面支持部と、前記上面支持部の前記壁パネル側端部から前記床スラブの端面に沿って垂下する垂下部と、前記垂下部の下端から前記垂下部の鉛直投影面より前記床スラブ側方向に曲げられた傾斜面と、前記傾斜面の下端から前記壁パネル方向に折り返された折り返し部を介して、前記壁パネルにわたって上向きに到達する支持辺とを備える支持金具の支持方法において、前記支持金具を前記層間隙間に設置したときに、前記支持辺が、前記支持辺と前記壁パネルとの接点を支点に、前記床スラブから前記壁パネル方向に回転する工程と、前記傾斜面が、前記垂下部の下端と前記床スラブとの接点を支点に、前記床スラブから前記壁パネル方向に回転する工程とを備えることを特徴とする支持方法が提供される。
【００４１】
これにより、前記支持金具を前記層間隙間に設置したときに、支持辺が、支持辺と壁パネルとの接点を支点に、床スラブから壁パネル方向に回転し、傾斜面が、垂下部の下端と床スラブとの接点を支点に、床スラブから壁パネル方向に回転する。
【発明の効果】
【００４２】
本発明の支持金具および支持方法によれば、上面支持部が、床スラブの上面に載置され、垂下部が、上面支持部の壁パネル側端部から床スラブの端面に沿って垂下し、傾斜面が、垂下部の下端から垂下部の鉛直投影面より床スラブ側方向に曲げられ、支持辺が、傾斜面の下端から壁パネル方向に折り返されて、壁パネルにわたって上向きに到達するので、支持金具を層間隙間に挿入する際に、支持辺が、支持辺と壁パネルとの接点を支点に、床スラブから壁パネル方向回転し、傾斜面が、垂下部の下端と床スラブとの接点を支点に、床スラブから壁パネル方向に回転することで、垂下部は垂直な状態で耐火層間材を支持することができる。
【図面の簡単な説明】
【００４３】
【図１】本実施の形態に係る耐火層間材を支持するための支持金具を示す斜視図である。
【図２】支持金具を床スラブに架設した状態を示す斜視図である。
【図３】支持金具を床スラブに架設した後に金属製板材を設置した状態を示す断面図である。
【図４】層間隙間に支持金具および金属製板材を挿入した状態の上面図である。
【図５】支持金具と、金属製板材と、耐火層間材とを用いて層間を閉塞した状態を示す側面図である。
【図６】支持金具の他の形状例を示す側面図である。
【図７】建築物の床スラブと壁パネルとの間に配置される耐火層間材を支持するための従来の支持金具および金属製板材を示す図である。
【図８】建築物の床スラブと壁パネルとの間に配置される耐火層間材を支持するための垂下部に板材支持部を具さない従来の支持金具および金属製板材を示す図である。
【図９】層間隙間に挿入前の従来の支持金具の断面図と、従来の支持金具、金属製板材、および耐火層間材を層間隙間に挿入した際の断面図とである。
【図１０】層間隙間に従来の支持金具および金属製板材を挿入した状態の上面図である。
【図１１】層間隙間に挿入前の垂下部に板材支持部を具さない従来の支持金具の断面図と、垂下部に板材支持部を具さない従来の支持金具、金属製板材、および耐火層間材を層間隙間に挿入した際の断面図とである。
【発明を実施するための形態】
【００４４】
以下、本発明の実施の形態を、図面を参照して詳細に説明する。
〔第１の実施の形態〕
図１は、本実施の形態に係る耐火層間材を支持するための支持金具を示す斜視図である。
図１に示すように、支持金具１００は一枚の金属製の板材、例えば幅５０ｍｍ、厚さ０．８ｍｍの金属製の板材を加工したものであり、上面支持部１１０、垂下部１２０、屈曲部１３０、傾斜部１４０、板材支持角部１５０、および支持辺１６０を備えている。
【００４５】
支持金具１００は、ここでは図示しない形成された床スラブ１０と壁パネル２０との間に形成された層間隙間Ｇに挿入し、ここでは図示しない金属製板材６０および耐火層間材３０を支持するためのものである。
【００４６】
上面支持部１１０は、床スラブ１０の上面に配置されるものであり、幅５０ｍｍ、長さ３０ｍｍで形成された上面支持部１１０が床スラブ１０の壁側角部に接するように配置される。
【００４７】
また、床スラブ１０の壁側角部に配置された上面支持部１１０から、垂下部１２０が床スラブ１０の端面に沿って垂下するように、上面支持部１１０と垂下部１２０とは直角に曲げられて形成されている。
【００４８】
垂下部１２０は主に耐火層間材３０を支持する部分であり、床スラブ１０の端面に沿うように耐火層間材３０に必要な所定の厚さ以上、例えば長さ１００ｍｍで鉛直方向に設けられる、垂下部１２０の下端からは、屈曲部１３０を介して傾斜部１４０が床スラブ１０側に６度程度傾斜するように鈍角に曲げられて形成される。なお、傾斜角度は支持金具の形状や設置箇所によって任意の傾斜角度で形成することができる。
【００４９】
なお、傾斜部１４０の傾斜をもたらす屈曲部１３０の位置は任意の位置で設けられるが、支持金具１００の下部から１／３程度の高さで設けるとよい。傾斜部１４０よりも垂下部１２０の割合を大きくした方が垂下部１２０と床スラブ１０との接着面が大きくなるため、安定して垂下部１２０が耐火層間材３０を支持することができる。好ましくは規定で必要とされている５０ｍｍ以上で垂下部１２０を設けるとよい。
【００５０】
傾斜部１４０の下端からは、板材支持角部１５０を介して支持辺１６０が延設されている。支持辺１６０は、板材支持角部１５０から壁パネル２０に到達する十分な長さ、具体的には床スラブ１０と壁パネル２０との間に形成された層間隙間Ｇよりも長い長さを備えており、支持金具１００は層間隙間Ｇに挿入される。
【００５１】
板材支持角部１５０は、６０度程度の鋭角で曲げ加工されたものであり、層間隙間Ｇの長手方向に沿って架設される金属製板材６０を支持するためのものである。
このように板材支持角部１５０は、板材支持角部１５０を介して延設された支持辺１６０が斜め上に鋭角に曲げ加工されることで、支持金具１００が層間隙間Ｇに挿入されるときに、支持辺１６０が上側方向に曲がるのでスムーズに挿入することができる。
【００５２】
また、屈曲部１３０を介して傾斜部１４０が床スラブ１０側に傾斜して設けられているために板材支持角部１５０は、上面支持部１１０と垂下部１２０との接点よりも床スラブ１０側に位置する。
【００５３】
このように板材支持角部１５０が、床スラブ１０側に折り曲げられた支持金具１００が層間隙間Ｇに挿入することで、板材支持角部１５０が床スラブ１０の端面から離れてしまうことを防止することができる。
【００５４】
具体的には、支持金具１００を層間隙間Ｇに押し込んだ際に、支持辺１６０と壁パネルとの接点を支点として床スラブ１０から壁パネル２０方向にかけて生じる回転力と反対方向に、屈曲部１３０を介して傾斜部１４０が形成されているので、回転力を受けても板材支持角部１５０が床スラブ１０から離れることはない。
【００５５】
さらに具体的には、支持金具１００を層間隙間Ｇに押し込むと、支持金具１００には支持辺１６０と壁パネルとの接点を支点として床スラブ１０から壁パネル２０方向にかけて反時計回りの回転力が生じる。
【００５６】
このとき、傾斜部１４０にも同じように反時計回りの回転力が生じるが、傾斜部１４０の上端部には屈曲部１３０が設けられているため、屈曲部１３０を支点とする反時計回りの回転力が生じる。
【００５７】
このため、傾斜部１４０は屈曲部１３０を支点として反時計回りに回転しようと力が働くが、傾斜部１４０の下端は鉛直方向よりも床スラブ１０側に傾斜、つまり時計回り側に傾斜しているため、やがて反時計回りの回転力が生じることで傾斜部１４０は垂下部１２０と同じ鉛直になる。
【００５８】
これにより床スラブ１０の端面に板材支持角部１５０が接した状態で、金属製板材６０が板材支持角部１５０によって支持されるので、板材支持角部１５０と床スラブ１０の端面との間に隙間が生じなくなる。
【００５９】
このため、下の階で発生した火災が発生しても、金属製板材６０が正常に層間隙間Ｇを塞ぎ、下の階からの火が直接耐火層間材３０に触れることがなくなり、耐火層間材３０を正常に機能させることができる。
【００６０】
また垂下部１２０は、支持金具１００には支持辺１６０と壁パネルとの接点を支点として床スラブ１０から壁パネル２０方向にかけて反時計回りの回転力が生じても、屈曲部１３０が支点となるため回転力の影響を受けにくい。このため垂下部１２０は、耐火層間材３０を所定の厚さで層間隙間Ｇを閉塞することができる。
【００６１】
また支持金具１００が層間隙間Ｇに挿入されると、板材支持角部１５０を介して延設された支持辺１６０の弾性力によって、支持辺１６０の下方向に力が働くので、支持金具１００が層間隙間Ｇに固定される。
【００６２】
支持辺１６０に形成される壁パネル２０と接する先端部１６１は、支持金具１００を切断加工する際に生じるバリと呼ばれる突起を取り除いたり、同じく切断加工する際に生じる角部を丸くしたりする丸み面取処理を施すことで、支持辺１６０先端の両端部には、角部を丸く面取り加工した角丸部１６２やバリが除去された先端部１６１が形成される。
【００６３】
このように丸み面取り処理された先端部１６１および角丸部１６２により、支持金具１００の層間隙間Ｇへの挿入時に、壁パネル２０を傷つけてしまうことがなくなる。壁パネル２０と接する部分の摩擦抵抗が少なくなりスムーズに支持金具１００を層間隙間Ｇに挿入することができる。
【００６４】
さらに摩擦抵抗が少なくなることで、建築物の揺れなので鋭利な端部が壁パネル２０と擦れる度に壁パネル２０と支持金具１００との間で生じる摩擦音を低減することができる。
【００６５】
図２は、支持金具を床スラブに架設した状態を示す斜視図である。
図２に示すように、支持金具１００は、床スラブ１０の側面と壁パネル２０とで形成される層間隙間Ｇに、床スラブ１０の端面に沿って所定の間隔で配置される。
【００６６】
支持金具１００は、層間隙間Ｇよりも長く形成された支持辺１６０を層間隙間Ｇに圧入するため、安定して層間隙間Ｇに支持金具１００を固定することができる。より強固に固定するためには、床スラブ１０と支持金具１００とが接する面に粘着テープなどを用いて固定することもできる。
【００６７】
また、屈曲部１３０を介して設けられた傾斜部１４０は、支持金具１００を層間隙間Ｇに押し込むことで発生する回転力を受けて回転方向に曲がり、支持金具１００を層間隙間Ｇに設置完了後に傾斜部１４０が垂直になるように屈曲部１３０の角度や傾斜部１４０の長さを調節すると良い。
【００６８】
図３は、支持金具を床スラブに架設した後に金属製板材を設置した状態を示す断面図である。
図３に示すように、層間隙間Ｇ長さ方向に所定の間隔で複数設置された支持金具１００が有する板材支持角部１５０に、金属製板材６０の長さ方向の一端が支持され、金属製板材６０の長さ方向の多端は壁パネル２０によって上向きに配置される。
【００６９】
このとき、支持金具１００が備える屈曲部１３０および傾斜部１４０によって板材支持角部１５０は床スラブ１０の端面に接しているため、金属製板材６０は床スラブ１０の端面に接するようにして配置される。これにより、金属製板材６０は層間隙間Ｇを閉塞するように配置することができる。
【００７０】
図４は、層間隙間に支持金具および金属製板材を挿入した状態の上面図である。
図４に示すように、支持金具１００は、床スラブ１０の端面に板材支持角部１５０が接した状態で設置されている。
【００７１】
このように、床スラブ１０の端面に板材支持角部１５０が接した状態で、支持金具１００は層間隙間Ｇに設置できるので、床スラブ１０と金属製板材６０との間に隙間が生じることがない。
【００７２】
これにより、金属製板材６０の上部に層間隙間Ｇを閉塞するように耐火層間材３０を設置しても、下階で火災が発生した場合においても、下階の火が直接耐火層間材３０に触れることはない。つまり耐火時間を低下させることがなく延焼拡大を防止することができる。
また層間隙間Ｇを金属製板材６０および耐火層間材３０で閉塞できるので、十分に耐火性能を有する区画を確立することができる。
【００７３】
図５は、支持金具と、金属製板材と、耐火層間材とを用いて層間を閉塞した状態を示す側面図である。
図５に示すように、支持金具１００は、床スラブ１０の端面に板材支持角部１５０が接した状態で層間隙間Ｇの長手方向に所定の間隔で配置され、また床スラブ１０の端面に接した状態の板材支持角部１５０から壁パネル２０にわたって金属製板材６０が架設され、さらに金属製板材６０の上部には、床スラブ１０と壁パネル２０と金属製板材６０とによって形成された層間隙間Ｇを閉塞する耐火層間材３０が充填されている。
【００７４】
耐火層間材３０は、心材３１と上面被覆材３２とで構成されており、心材３１は、層間隙間Ｇに圧入され、上面被覆材３２が粘着剤を介して床スラブ１０および壁パネル２０の表面に接着されることで、層間隙間Ｇを完全に閉塞することができる。
【００７５】
このように耐火層間材３０は、層間隙間Ｇを閉塞するように架設された金属製板材６０によって、下階の火が直接耐火層間材３０に触れることはない。これにより耐火時間を低下させることがなく延焼拡大を防止することができる。
【００７６】
図６は、支持金具の他の形状例を示す側面図である。
図６（Ａ）に示すように、支持金具１００は層間隙間Ｇの幅によって支持辺１６０の長さや、鋭角に折り曲げられる板材支持角部１５０の角度を任意の角度で形成することもできる。
【００７７】
図６（Ｂ）に示すように、支持金具１００は傾斜部１４０から支持辺１６０にかけて湾曲面１７０を介して連続させることもできる。
このように傾斜部１４０から支持辺１６０にかけて湾曲面１７０が形成される場合では、湾曲面１７０で金属製板材６０を支持するのではなく、垂下部１２０の一部に設けられた板材支持部１８０で金属製板材６０を支持することもできる。
【００７８】
板材支持部１８０は、例えば垂下部１２０の一部を切り起こした形状の突起であり、この板材支持部１８０によって金属製板材６０の床スラブ１０側部分が指示され、金属製板材６０の壁パネル２０側は壁パネル２０によって支持される。この他、板材支持部１８０は、垂下部１２０の壁パネル２０側の表面に溶接等で取り付けられた突起体でもよい。
【００７９】
この板材支持部１８０は、垂下部１２０の一部、好ましくは垂下部１２０の下部に設けられるので、傾斜部１４０が屈曲部１３０を支点にして回転力がかかる際の影響を受けにくく、板材支持部１８０が床スラブ１０の端面に接した状態で金属製板材６０を支持することができる。このため金属製板材６０で層間隙間Ｇを完全に閉塞することができる。
【００８０】
なお、本実施の形態では、屈曲部１３０を介して傾斜部１４０が床スラブ１０側に６度程度傾斜するように鈍角に曲げられて形成されるが、屈曲部１３０は鈍角で形成するだけでなく、緩やかな曲面で形成することもできる。
【００８１】
また、支持金具１００は一枚の金属製の板材から形成されており、鋭角に折り曲げられた板材支持角部１５０で金属製板材６０の一端を支持するため、板材支持角部１５０を支持するためだけに必要な部材を必要としない。
【００８２】
つまり、金属製板材６０が不要な現場であっても、あるいは金属製板材６０が必要な現場であっても、共通した支持金具１００を利用することができる。これにより、支持金具１００の製造者は統一した形状で製造できるため製造効率がよくなり、製造コストを低減することができる。
【符号の説明】
【００８３】
１０  床スラブ
２０  壁パネル
３０  耐火層間材
３１  心材
３２  上面被覆材
５０、７０、１００  支持金具
５１、７１、１１０  上面支持部
５２、７２、１２０  垂下部
５３、７４  突っ張り部
５４  板材支持部
６０  金属製板材
７３  角部
１３０  屈曲部
１４０  傾斜部
１５０  板材支持角部
１６０  支持辺
１６１  先端部
１６２  角丸部
１７０  湾曲面
１８０  板材支持部
Ｇ  層間隙間
Ｓ  隙間
【図１】
2020084483.tif 000003
【図２】
2020084483.tif 000004
【図３】
2020084483.tif 000005
【図４】
2020084483.tif 000006
【図５】
2020084483.tif 000007
【図６】
2020084483.tif 000008
【図７】
2020084483.tif 000009
【図８】
2020084483.tif 000010
【図９】
2020084483.tif 000011
【図１０】
2020084483.tif 000012
【図１１】
2020084483.tif 000013